(57)【要約】      （修正有）【課題】容易に見付けることができ、同時に除細動器の状態を判定することを可能にする状態インジケータを含む除細動器の起動機構を提供する。【解決手段】起動装置５および状態インジケータ７を有する起動機構３を備え、前記起動装置５は、前記除細動器１が停止される第１の状態と、前記除細動器１が作動される第２の状態とに配置可能であり、前記状態インジケータ７は、「除細動器の準備が整った」除細動器の状態が示される少なくとも第１のモードと、「除細動器の準備が整っていない」除細動器の状態が示される第２のモードとにおいて動作可能であることを特徴とする除細動器である。【選択図】図１
2019111329.tif 000002
【特許請求の範囲】
【請求項１】
除細動器において、
起動装置および状態インジケータを有する起動機構を備え、前記起動装置は、前記除細動器が停止される第１の状態と、前記除細動器が作動される第２の状態とに配置可能であり、前記状態インジケータは、「除細動器の準備が整った」除細動器の状態が示される少なくとも第１のモードと、「除細動器の準備が整っていない」除細動器の状態が示される第２のモードとにおいて動作可能であることを特徴とする除細動器。
【請求項２】
請求項１に記載の除細動器において、
前記状態インジケータが、１または複数のライトを含むことを特徴とする除細動器。
【請求項３】
請求項２に記載の除細動器において、
前記状態インジケータの１または複数のライトが、「除細動器の準備が整った」除細動器の状態が示される第１のモードにおいて、第１の色で点灯し、「除細動器の準備が整っていない」除細動器の状態が示される第２のモードにおいて、第２の色で点灯することを特徴とする除細動器。
【請求項４】
請求項２または３に記載の除細動器において、
前記除細動器の第１のモードまたは第２のモードの何れかにおいて、または前記除細動器の第１のモードおよび第２のモードの両方において、前記状態インジケータの１または複数のライトが、ある照明パターンで点灯することを特徴とする除細動器。
【請求項５】
請求項１乃至４の何れか一項に記載の除細動器において、
前記起動装置が、前記除細動器が停止される第１の位置と、前記除細動器が作動される第２の位置との間で移動可能であることにより、前記第１の状態および前記第２の状態に配置可能であることを特徴とする除細動器。
【請求項６】
請求項５に記載の除細動器において、
前記起動装置が、ボタン、フック、ダイヤル、スライダ、ハンドル、ノブ、キー、スイッチのうちの何れかを含むことを特徴とする除細動器。
【請求項７】
請求項１乃至６の何れか一項に記載の除細動器において、
前記起動装置が、前記除細動器のユーザに前記起動装置を示す標示を含むことを特徴とする除細動器。
【請求項８】
請求項７に記載の除細動器において、
前記起動機構が、前記起動機構の標示を照らす１または複数のライトを含むことを特徴とする除細動器。
【請求項９】
請求項２または８に記載の除細動器において、
前記１または複数のライトが前記起動機構内に収容されていることを特徴とする除細動器。
【請求項１０】
請求項２または８に記載の除細動器において、
前記１または複数のライトが前記起動機構の外面に設けられていることを特徴とする除細動器。
【請求項１１】
請求項９または１０に記載の除細動器において、
前記１または複数のライトが、ある照明パターンで点灯することを特徴とする除細動器。
【請求項１２】
請求項１１に記載の除細動器において、
前記照明パターンが、前記１または複数のライトの予め設定された期間の継続的な点灯を含むことを特徴とする除細動器。
【請求項１３】
請求項１１に記載の除細動器において、
前記照明パターンが、前記１または複数のライトの点滅の繰り返しを含むことを特徴とする除細動器。
【請求項１４】
請求項１１に記載の除細動器において、
前記照明パターンが、前記１または複数のライトの照明の最小照明から最大照明への増加と、前記１または複数のライトの照明の前記最大照明から前記最小照明への減少との繰り返しを含むことを特徴とする除細動器。
【請求項１５】
請求項１１に記載の除細動器において、
前記照明パターンが、前記１または複数のライトの照明の最小照明から最大照明への第１の速度での増加と、前記１または複数のライトの照明の前記最大照明から前記最小照明への第２のより遅い速度での減少との繰り返しを含むことを特徴とする除細動器。
【発明の詳細な説明】
【技術分野】
【０００１】
本発明は、ユーザが起動機構をより容易に見付け、同時に除細動器の状態を判定することを可能にする状態インジケータを含む除細動器の起動機構に関する。
【背景技術】
【０００２】
突然の心停止の場合、除細動器を使用した迅速な治療介入が肯定的な結果をもたらす可能性がある。このため、除細動器、特に自動体外式除細動器（ＡＥＤ）は、一般に、多くの場所で見付けられる。一般に、除細動器は、起動機構と、例えば「使用準備が整っている」または「使用準備が整っていない」など、除細動器の状態を潜在的なユーザまたは試験者に示すための別個の状態インジケータとを有する。状態インジケータは、周期的に、短い期間動作可能であり、残りの期間は動作不能となる。除細動器を使用するときは、できるだけ早く起動することが重要である。状態インジケータは、除細動器を作動させようとしているときにユーザを混乱させる可能性があり、特に起動機構と誤認される可能性がある。
【発明の概要】
【０００３】
本発明によれば、除細動器が提供され、当該除細動器が、起動装置（activator）および状態インジケータ（status indicator）を有する起動機構（activation mechanism）を備え、起動装置は、除細動器が停止される第１の状態と、除細動器が作動される第２の状態とに配置可能であり、状態インジケータは、「除細動器の準備が整った」除細動器の状態が示される少なくとも第１のモードと、「除細動器の準備が整っていない」除細動器の状態が示される第２のモードとにおいて動作可能となっている。
【０００４】
起動装置および状態インジケータを含む起動機構を有することにより、除細動器のユーザは、別個の起動装置および状態表示装置の間で混乱を生じることはなく、起動装置を速やかに使用することができる。
【０００５】
状態インジケータは、１または複数のライトを含むことができる。状態インジケータの１または複数のライトは、起動機構の外面に設けられるものであってもよい。状態インジケータの１または複数のライトは、起動機構の外面のバックライトを提供するために、起動機構内に収容されるものであってもよい。状態インジケータの１または複数のライトは、ほぼ円形状に配置されるものであってもよい。状態インジケータの１または複数のライトは、ほぼダイヤモンド形状に配置されるものであってもよい。１または複数のライトは、１または複数の発光ダイオード（ＬＥＤ）を含むことができる。
【０００６】
状態インジケータの１または複数のライトは、「除細動器の準備が整った」除細動器の状態が示される第１のモードにおいて点灯するようにしてもよい。状態インジケータの１または複数のライトは、「除細動器の準備が整っていない」除細動器の状態が示される第２のモードにおいて消灯するようにしてもよい。状態インジケータの１または複数のライトは、「除細動器の準備が整った」除細動器の状態が示される第１のモードにおいて、第１の色で点灯するようにしてもよい。状態インジケータの１または複数のライトは、「除細動器の準備が整っていない」除細動器の状態が示される第２のモードにおいて、第２の色で点灯するようにしてもよい。第１の色は緑色とすることができる。第２の色は赤色とすることができる。
【０００７】
除細動器の第１のモードまたは第２のモードの何れかにおいて、または除細動器の第１のモードおよび第２のモードの両方において、状態インジケータの１または複数のライトは、所定の照明パターンで点灯するようにしてもよい。その照明パターンは、状態インジケータの１または複数のライトの予め設定された期間の継続的な点灯を含むことができる。照明パターンは、状態インジケータの１または複数のライトの点滅を繰り返すことを含むことができる。照明パターンは、状態インジケータの１または複数のライトの照明の最小照明から最大照明への増加と、状態インジケータの１または複数のライトの照明の最大照明から最小照明への減少との繰り返しを含むことができる。照明パターンは、状態インジケータの１または複数のライトの照明の最小照明から最大照明への第１の速度での増加と、状態インジケータの１または複数のライトの照明の最大照明から最小照明への第２のより遅い速度での減少との繰り返しを含むことができる。
【０００８】
起動装置は、無線信号受信機を備えることができ、無線信号送信機からの命令を受信すると、第１の状態および第２の状態に配置可能である。無線信号送信機は、スマートカード、キーフォブのうちの何れかであってもよい。
【０００９】
起動装置は、音声起動ユニットを備えることができ、音声命令を受信すると、第１の状態および第２の状態に配置可能である。起動装置は、タッチスクリーンを含むことができ、タッチスクリーンから命令を受信すると、第１の状態および第２の状態に配置可能である。
【００１０】
起動装置は、除細動器が停止される第１の位置と、除細動器が作動される第２の位置との間で移動可能であることにより、第１の状態および第２の状態に配置可能である。起動装置は、除細動器のユーザによって第１の位置と第２の位置との間で移動可能となるようにしてもよい。起動装置は、ボタン、フック、ダイヤル、スライダ、ハンドル、ノブ、キー、スイッチのうちの何れかを含むことができる。好ましい実施形態では、起動装置が、押圧により第１の位置と第２の位置との間で移動可能なボタンを含む。ボタンは、第２の位置から自動的に解放されるようにしてもよい。
【００１１】
起動装置は、除細動器のユーザに起動装置を示す標示（sign）を含むことができる。標示は、矩形、円形、楕円形、正方形のうちの何れかであってもよい。標示は、起動装置のほぼ中央に配置することができる。標示は、起動装置の外面上に配置されるものであってもよい。
【００１２】
起動装置は、起動装置を照らすための１または複数のライトを含むことができる。起動装置の１または複数のライトは、起動装置の標示を照らすことができる。これは、除細動器のユーザに起動装置を示すのに使用することができる。起動装置の１または複数のライトは、起動装置の標示のバックライトを提供するために、起動機構内に収容されるものであってもよい。起動装置の１または複数のライトは、起動装置の標示を照らすために、起動機構の外面に設けられるものであってもよい。起動装置の１または複数の光は、１または複数のＬＥＤを含むことができる。起動装置の１または複数のライトは、状態インジケータの１または複数のライトを含むことができる。
【００１３】
起動装置の１または複数のライトは、所定の照明パターンで点灯するようにしてもよい。その照明パターンは、予め設定された期間にわたる起動装置の１または複数のライトの継続的な点灯を含むことができる。照明パターンは、起動装置の１または複数のライトの点滅を繰り返すことを含むことができる。照明パターンは、起動装置の１または複数のライトの照明の最小照明から最大照明への増加と、起動装置の１または複数のライトの照明の最大照明から最小照明への減少との繰り返しを含むことができる。照明パターンは、起動装置の１または複数のライトの照明の最小照明から最大照明への第１の速度での増加と、起動装置の１または複数のライトの照明の最大照明から最小照明への第２のより遅い速度での減少との繰り返しを含むことができる。
【図面の簡単な説明】
【００１４】
添付図面を参照して、本発明の実施形態をほんの一例として説明する。
【図１】図１は、本発明に係る起動機構の第１の実施形態を含む除細動器の概略図である。
【図２】図２は、本発明に係る起動機構の第２の実施形態を含む除細動器の概略図である。
【発明を実施するための形態】
【００１５】
図１を参照すると、除細動器１は起動機構３を備える。起動機構３は、起動装置５および状態インジケータ７を備える。なお、除細動器は、図示していない電極、除細動ショック回路などの他の構成要素を含むことを理解されたい。
【００１６】
起動装置５は、ボタン９と、起動装置５のボタン９の外面に配置された標示１１とを備える。起動装置５は、単一の細長いライト（図示省略）をさらに備える。このライトは、起動装置５のボタン９の外面に標示１１のバックライトを提供するために、ボタン９のほぼ中央の位置で起動装置５内に収容される。この実施形態では、ライトが所定の照明パターンを使用し、その照明パターンには、最小照明から最大照明へのライトの照明の増加と、最大照明から最小照明へのライトの照明の減少との繰り返しが含まれる。なお、他の照明パターンを使用できることを理解されたい。発光する標示１１は、起動装置５のボタン９を除細動器１のユーザに示しており、そのため、ユーザは、除細動器１の他の制御装置から起動装置５を容易に区別することができる。
【００１７】
状態インジケータ７は、図示のように、起動機構３の外面に設けられ、ほぼダイヤモンド形状に配置された４つのライト１３を備える。それらライト１３は、「除細動器の準備が整った」除細動器１の状態を示す状態表示装置７の第１のモードにおいて、緑色に点灯する。それらライト１３は、「除細動器の準備が整っていない」除細動器１の状態を示す状態表示装置７の第２のモードにおいて、赤色に点灯する。この実施形態では、ライト１３が点灯し、予め設定された期間、点灯したままである。なお、他の照明パターンを使用できることを理解されたい。
【００１８】
ユーザは、除細動器１を使用する必要がある場合、先ず、状態インジケータ７のライト１３が緑色であるか否かを確認する。緑色である場合、ユーザは起動装置５のボタン９を押す。これにより、起動装置５のボタン９は、除細動器１が作動する第２の状態に配置される。
【００１９】
起動機構３が起動装置５および状態インジケータ７を備えているため、ユーザは別の状態表示装置を起動装置と混同して混乱を生じることはなく、起動機構３の起動装置５を速やかに使用することができる。
【００２０】
図２を参照すると、除細動器２１は起動機構２３を備える。起動機構２３は、起動装置２５および状態インジケータ２７を含む。なお、この除細動器は、図示していない電極、除細動ショック回路などの他の構成要素を含むことを理解されたい。
【００２１】
起動装置２５は、ボタン２９と、起動装置２５のボタン２９の外面に配置された標示３１とを含む。状態インジケータ２７は、単一の細長いライト（図示省略）を備える。このライトは、起動装置２５のボタン２９の外面に標示３１のバックライトを提供するために、ボタン２９のほぼ中央の位置で起動装置２５内に収容される。状態インジケータ２７のライトは、「除細動器の準備が整った」除細動器２１の状態を示す状態表示装置２７の第１のモードにおいて、緑色に点灯する。状態インジケータ２７のライトは、「除細動器の準備が整っていない」除細動器２１の状態を示す状態表示装置７の第２のモードにおいて、赤色に点灯する。この実施形態では、状態インジケータ２７のライトが点灯し、予め設定された期間、点灯したままである。なお、他の照明パターンを使用できることを理解されたい。発光する標示１１は、起動装置５のボタン９を除細動器１のユーザに示しており、そのため、ユーザは、除細動器１の他の制御装置から起動装置５を容易に区別することができる。また、発光する標識１１は、除細動器２１の状態もユーザに対して示す。
【００２２】
ユーザは、除細動器２１を使用する必要がある場合、先ず、標識３１を背面照明する状態インジケータ２７のライトが緑色であるか否かを確認する。緑色である場合、ユーザは起動装置２５のボタン２９を押す。これにより、起動装置２５のボタン２９は、除細動器１が作動する第２の状態に配置される。
【００２３】
起動機構２３が起動装置２５および状態インジケータ２７を備えているため、ユーザは別の状態表示装置を起動装置と混同して混乱を生じることはなく、起動機構２３の起動装置２５を速やかに使用することができる。
【図１】
2019111329.tif 000003
【図２】
2019111329.tif 000004
【外国語明細書】
2019111329000001.pdf